(57)【要約】  医療機器は、音声出力部が接続され、かつ、外部からの所定の指示が入力されることで起動する音声校正部を備える。音声校正部は、音声パターンデータを読み出し、音声出力部を介して前記音声パターンデータを出力し、音声データ入力部にて取得された音声データが、予め定められた規定を満たすか否かを判定し、予め定められた規定を満たさないと判定された場合に、音声パターンデータを補正する。
2014034108.tif 000002
【特許請求の範囲】
【請求項１】
警報音を出力する音声出力手段を備え、かつ、音声データ入力手段と接続可能な医療機器であって、
前記音声出力手段が接続され、かつ、外部からの所定の指示が入力されることで起動する音声校正手段を備え、
前記音声校正手段は、
前記警報音として、予め格納手段に格納された音声パターンデータを読み出し、前記音声出力手段を介して出力する出力制御手段と、
前記音声パターンデータが出力された際に、前記音声データ入力手段にて取得された音声データが、予め定められた規定を満たすか否かを判定する判定手段と、
前記判定手段により、前記音声データ入力手段にて取得された音声データが前記規定を満たしていないと判定された場合に、前記読み出された音声パターンデータを補正する補正手段と、
前記判定手段により、前記音声データ入力手段にて取得された音声データが前記規定を満たすと判定されるまで、前記補正手段による補正と前記出力制御手段による該補正された音声パターンデータの出力とを繰り返すよう制御する校正制御手段と、
前記判定手段により、前記音声データ入力手段にて取得された音声データが前記規定を満たすと判定された場合に、当該判定が行われた際に出力された音声パターンデータを用いて、前記格納手段に格納された音声パターンデータを更新する更新手段と
を備えることを特徴とする医療機器。
【請求項２】
前記音声パターンデータは、優先度の異なる複数の音声パターンデータを含み、
前記判定手段は、前記医療機器の種類に対応する規定であって、かつ、前記優先度の異なる複数の音声パターンデータそれぞれについて、対応する規定を満たすか否かを判定することを特徴とする請求項１に記載の医療機器。
【請求項３】
前記判定手段は、前記音声データ入力手段にて取得された音声データの、各バースト間隔、各バーストに含まれるパルスの数、各パルス間隔、各パルスの形状、各パルスの音程の少なくとも１つについて、前記規定を満たすか否かを判定することを特徴とする請求項２に記載の医療機器。
【請求項４】
前記補正手段は、前記読み出された音声パターンデータの、各バースト間隔、各バーストに含まれるパルスの数、各パルス間隔、各パルスの形状、各パルスの音程の少なくとも１つを補正することを特徴とする請求項１に記載の医療機器。
【請求項５】
警報音を出力する音声出力手段を備え、かつ、音声データ入力手段と接続可能な医療機器の制御方法であって、
前記音声データ入力手段に接続され、かつ、外部からの所定の指示が入力されたことで実行される音声校正工程を有し、
前記音声校正工程は、
前記警報音として、予め格納手段に格納された音声パターンデータを読み出し、前記音声出力手段を介して出力する出力制御工程と、
前記音声パターンデータが出力された際に、前記音声データ入力手段にて取得された音声データが、予め定められた規定を満たすか否かを判定する判定工程と、
前記判定工程において、前記音声データ入力手段にて取得された音声データが前記規定を満たしていないと判定された場合に、前記読み出された音声パターンデータを補正する補正工程と、
前記判定工程において、前記音声データ入力手段にて取得された音声データが前記規定を満たすと判定されるまで、前記補正工程における補正と前記出力制御工程における該補正された音声パターンデータの出力とを繰り返すよう制御する校正制御工程と、
前記判定工程において、前記音声データ入力手段にて取得された音声データが前記規定を満たすと判定された場合に、当該判定が行われた際に出力された音声パターンデータを用いて、前記格納手段に格納された音声パターンデータを更新する更新工程と
を有することを特徴とする制御方法。
【請求項６】
請求項５に記載の制御方法の各工程をコンピュータに実行させるためのプログラム。
【請求項７】
格納手段に格納されている音声パターンデータに基づいて音声出力手段から音声を出力する機能を有する医療機器であって、
前記格納手段に格納されている音声パターンデータを校正する音声校正手段を備え、
前記音声校正手段は、前記格納手段に格納されている音声パターンデータに基づいて前記音声出力手段から音声を出力し該音声を音声データ入力手段によって取り込んだ音声データに基づいて、予め定められた規定を満たす音声が前記音声出力手段から出力されるように、前記格納手段に格納されている音声パターンデータを校正する、
ことを特徴とする医療機器。
【請求項８】
前記音声校正手段は、前記音声データ入力手段によって取り込んだ音声データと前記規定によって定義された音声との相違が低減されるように、前記格納手段に格納されている音声パターンデータを校正する、
ことを特徴とする請求項７に記載の医療機器。
【発明の詳細な説明】
【技術分野】
【０００１】
本発明は、医療機器及びその制御方法に関するものである。
【背景技術】
【０００２】
従来より、体外循環装置や輸液装置等の医療機器では、異常等を検知した場合に、スピーカまたはブザー等の音声出力部を駆動し、警報メロディを出力する構成となっている。【０００３】
一般に、警報メロディは、医療機器の種類に応じて、また、検知した異常の優先度や異常の種類に応じてパターンが異なっており、これまでは、各医療機器メーカが各々に設定を行っていた。【０００４】
これに対して、医療機器に関する国際規格ＩＥＣ６０６０１の第３版では、警報メロディパターン（音の間隔、継続時間、立上り時間等の時間特性や音程等の周波数特性）についても厳格な規定が定義された。このため、今後、各医療機器における種々の警報メロディパターンは、当該規定に従うことが不可欠となってくる。【０００５】
一方で、従来より、警報メロディを構成する各音の立上り時間や音圧等を制御することで、種々の警報メロディパターンを出力する装置が提案されている（例えば、下記特許文献１参照）。
【先行技術文献】
【特許文献】
【０００６】
【特許文献１】特開２００７−０２２４８６号公報
【発明の概要】
【発明が解決しようとする課題】
【０００７】
しかしながら、従来の装置の場合、出力信号を制御する構成は有しているものの、スピーカを介して出力された警報メロディが、実際に、所望の警報メロディパターンと合致しているか否かを判定する構成までは有していない。【０００８】
一方で、上記規定によれば、スピーカ等を介して出力された警報メロディが所定の距離だけ離れた位置で測定された場合に、所定の警報メロディパターンと合致していることが条件となっている。【０００９】
一般に、ＣＰＵなどにおいて制御された出力信号と、スピーカ等を介して出力された音声とは必ずしも一致しない。このため、上記規定により定義された時間特性や周波数特性を有する警報メロディを実現するためには、各医療機器ごとに、出力信号の出力と測定とを繰り返し、上記規定を満たすような出力信号に調整する必要がある。更に、当該調整は、各医療機器の出荷前に行われる必要があることから、極力、効率的に行われることが不可欠となってくる。【００１０】
本発明は上記課題に鑑みてなされたものであり、測定された警報メロディが所定の規定を満たすよう、出力信号を効率的に調整可能な医療機器を提供することを目的とする。
【課題を解決するための手段】
【００１１】
上記の目的を達成するために、本発明に係る医療機器は以下のような構成を備える。即ち、
警報音を出力する音声出力手段を備え、かつ、音声データ入力手段と接続可能な医療機器であって、
前記音声データ入力手段が接続され、かつ、外部から所定の指示が入力された場合に起動する音声校正手段を備え、
前記音声校正手段は、
前記警報音として、予め格納手段に格納された音声パターンデータを読み出し、前記音声出力手段を介して出力する出力制御手段と、
前記音声パターンデータが出力された際に、前記音声データ入力手段にて取得された音声データが、予め定められた規定を満たすか否かを判定する判定手段と、
前記判定手段により、前記音声データ入力手段にて取得された音声データが前記規定を満たしていないと判定された場合に、前記読み出された音声パターンデータを補正する補正手段と、
前記判定手段により、前記音声データ入力手段にて取得された音声データが前記規定を満たすと判定されるまで、前記補正手段による補正と、前記出力制御手段による該補正された音声パターンデータの出力とを繰り返すよう制御する校正制御手段と、
前記判定手段により、前記音声データ入力手段にて取得された音声データが規定を満たすと判定された場合に、当該判定が行われた際に出力された音声パターンデータを用いて、前記格納手段に格納された音声パターンデータを更新する更新手段とを備える。
【発明の効果】
【００１２】
本発明によれば、測定された警報メロディが所定の規定を満たすよう、出力信号を効率的に調整可能な医療機器を提供することが可能となる。
【図面の簡単な説明】
【００１３】
【図１】本発明の一実施形態に係る医療機器（体外循環装置）の構成を示す図である。
【図２】医療機器を構成するコントローラの機能構成を示す図である。
【図３Ａ】コントローラにより実現される音声校正部の機能構成を示す図である。
【図３Ｂ】音声校正部を機能させる際の動作環境を示す図である。
【図４Ａ】警報メロディパターンに関する規定の一部を示した図である。
【図４Ｂ】警報メロディパターンに関する規定の一部を示した図である。
【図４Ｃ】警報メロディパターンに関する規定の一部を示した図である。
【図４Ｄ】警報メロディパターンに関する規定の一部を示した図である。
【図４Ｅ】警報メロディパターンに関する規定の一部を示した図である。
【図５】音声校正部による音声校正処理の流れを示すフローチャートである。
【図６】警報メロディパターンの一例を示す図である。
【図７Ａ】低優先度の警報メロディパターンを出力した場合の音声データ解析処理の流れを示すフローチャートである。
【図７Ｂ】低優先度の警報メロディパターンを出力した場合の音声データ解析処理の流れを示すフローチャートである。
【図８Ａ】中優先度の警報メロディパターンを出力した場合の音声データ解析処理の流れを示すフローチャートである。
【図８Ｂ】中優先度の警報メロディパターンを出力した場合の音声データ解析処理の流れを示すフローチャートである。
【図９Ａ】高優先度の警報メロディパターンを出力した場合の音声データ解析処理の流れを示すフローチャートである。
【図９Ｂ】高優先度の警報メロディパターンを出力した場合の音声データ解析処理の流れを示すフローチャートである。
【発明を実施するための形態】
【００１４】
以下、本発明の各実施形態について添付図面を参照しながら詳細に説明する。なお、以下の各実施形態では、本発明に係る医療機器として、体外循環装置を例に説明するが、本発明に係る医療機器は、体外循環装置に限定されず、他の医療機器であってもよい。
【００１５】
［第１の実施形態］
＜１．体外循環装置の全体構成＞
図１の１Ａは、本発明の一実施形態に係る体外循環装置１００の全体構成を示す図である。
【００１６】
体外循環装置１００は、ＰＣＰＳ（percutaneouscardiopulmonary support）などと呼ばれ、心肺補助動作（体外循環動作、プライミング動作）を行う。体外循環装置１００は、図中矢印で示す血液体外循環回路（以下、循環回路と呼ぶ）を有している。体外循環装置１００では、プライミング動作を行った後、この循環回路を用いて被検者１３０の血液を体外循環させる。
【００１７】
ここで、プライミング動作とは、プライミング液（例えば、生理食塩水）で循環回路内を十分に満たした状態で、当該プライミング液を循環させ、当該回路内の気泡を除去する動作をいう。
【００１８】
体外循環装置１００は、コントローラ１１０と、ドライブモータ１１１と、遠心ポンプ１１２と、人工肺１１３と、酸素供給源１１７と、カテーテル（静脈側）１１９と、カテーテル（動脈側）１２０と、気泡センサ１１４と、分岐ライン１１８と、血液フィルタ１１６と、流量センサ１１５とを備える。なお、これらの各構成の間は、柔軟性を有するチューブ等によって接続されており、当該チューブの内腔が血液またはプライミング液の流路を形成している。
【００１９】
カテーテル（動脈側）１２０は、被検者１３０の体内に向けて送血し、カテーテル（静脈側）１１９は、被検者１３０の体内から脱血を行う。
【００２０】
遠心ポンプ１１２は、遠心式人工心臓とも呼ばれ、内部に設けられた回転体を駆動させて血液に圧力を与え、循環回路内で血液を循環させる。ドライブモータ１１１は、遠心ポンプ１１２の回転体に回転駆動力を与える。
【００２１】
人工肺１１３は、血液の循環と血液のガス交換（酸素付加、二酸化炭素除去等）とを行う。酸素供給源１１７は、例えば、酸素ボンベ等で実現され、血液に付加する酸素を供給する。酸素供給源１１７から供給される酸素は、人工肺１１３によるガス交換時に使用される。
【００２２】
気泡センサ１１４は、プライミング動作時に循環回路内を流れる気泡を所定の検出方法（超音波、光等）により検出する。血液フィルタ１１６は、血液をろ過したり、血液中の気泡を除去したりする。流量センサ１１５は、例えば、超音波の送受信器を内蔵して構成され、循環回路内の血液の流量を計測する。
【００２３】
分岐ライン１１８は、循環回路の流路を切り替える。具体的には、被検者１３０の血液を体外循環させる場合には、図１の１Ａに示すように、被検者１３０の体内を通る循環回路を構築し、被検者１３０の体外で血液を循環させる。プライミング動作時には、図１の１Ｂに示すように、分岐ライン１１８によって被検者１３０の体内への循環回路の経路を遮断して被検者１３０の体外のみを通る循環回路（言い換えれば、被検者１３０の体内を通らない循環回路）を構築し、プライミング液で循環回路内を満たして（被検者の体内を通らずに）プライミング液を循環させる。循環回路上には、気泡を排出するための１又は複数の気泡排出ポート（不図示）が設けられており、循環回路内でプライミング液を複数周循環させることにより、循環回路内の気泡が当該気泡排出ポートから排出されることとなる。
【００２４】
コントローラ１１０は、体外循環装置１００における体外循環動作及びプライミング動作を統括制御する。コントローラ１１０においては、例えば、ドライブモータ１１１を制御して遠心ポンプ１１２を駆動させたり、人工肺１１３を制御してガス交換動作を行わせたり、気泡センサ１１４を制御して気泡センサ１１４からの出力信号を取得したり、また、流量センサ１１５を制御して流量値を取得したりする。
【００２５】
次に、図１の１Ａ、１Ｂに示す体外循環装置１００を用いて心肺補助動作（体外循環動作、プライミング動作）を行う際の処理の流れについて簡単に説明する。
【００２６】
心肺補助動作が開始されると、コントローラ１１０は、プライミング動作の実行を制御する。プライミング動作時には、図１の１Ｂに示すように、分岐ライン１１８によって被検者１３０の体内を通らない循環回路が構築される。また、このとき、プライミング液供給源１２１が分岐ライン１１８に接続され、当該プライミング液供給源１２１から循環回路内にプライミング液が供給される。これにより、循環回路内は、プライミング液で満たされることになる。
【００２７】
そして、コントローラ１１０の制御によって遠心ポンプ１１２が駆動され、プライミング液が循環回路内を複数周循環する。循環回路内の気泡は、この循環とともに気泡排出ポート等から排出される。このとき、気泡センサ１１４によって当該循環回路内の気泡が検出され、コントローラ１１０では、当該気泡センサ１１４の検出結果に基づいて循環回路内に含まれる気泡について判定を行う。
【００２８】
ここで、コントローラ１１０は、判定の結果が、所定の基準を満たす場合には、プライミング動作を終了させる。この終了に際して、コントローラ１１０は、表示器（不図示）やスピーカ（不図示）等を用いて、ユーザにプライミング動作が終了したことを通知する。プライミング動作の終了の通知を受けたユーザは、分岐ライン１１８を切り替え、図１の１Ａに示すように、被検者１３０の体内を通る循環回路を構築する。これにより、被検者１３０の血液が体外循環される。
【００２９】
体外循環動作が始まると、カテーテル（静脈側）１１９から脱血されてくる血液が、遠心ポンプ１１２を経て人工肺１１３に入る。人工肺１１３では、上述した通り、ガス交換、すなわち、酸素付加や二酸化炭素除去等の処理が行われる。その後、血液フィルタ１１６等を経て、ろ過された血液が、カテーテル（動脈側）１２０から被検者１３０の体内に送血される。この脱血〜送血までの処理が繰り返し行われ、被検者１３０の血液が体外循環される。なお、体外循環動作中に異常が検知された場合には、警報メロディが出力される。
【００３０】
以上が、本実施形態に係る体外循環装置１００の全体構成及び心肺補助動作の流れの一例についての説明である。なお、図１の１Ａ、１Ｂに示す体外循環装置１００の構成は、あくまでも一例にすぎず、その構成は適宜変更されてもよい。
【００３１】
＜２．コントローラの機能構成＞
次に、図２を用いて、図１の１Ａ、１Ｂに示すコントローラ１１０の機能構成について説明する。
【００３２】
コントローラ１１０は、その機能構成として、記憶部２０１と、操作部２０２と、表示部２０３と、タイマ部２０４と、制御部２０５と、音声出力部２０６と、Ｉ／Ｆ部２０７とを備える。
【００３３】
記憶部２０１は、例えば、ハードディスク等で実現され、各種情報を格納する。なお、後述する音声校正部２１０による音声校正処理を実行する際に参照される、警報メロディパターンデータ（音声パターンデータ）２１１、特性規定データ２１２は、記憶部２０１に格納されているものとする。
【００３４】
操作部２０２は、例えば、各種ボタン等で実現され、ユーザからの指示を入力する。表示部２０３は、例えば、モニタ等の表示器で実現され、各種情報をユーザに向けて表示する。なお、操作部２０２及び表示部２０３の一部又は全部は、例えば、タッチパネルとして実現されても良い。
【００３５】
タイマ部２０４は、各種時間の計時を行う。制御部２０５は、例えば、ＣＰＵ（CentralProcessing Unit）、ＲＯＭ（Read Only Memory）及びＲＡＭ（Random Access Memory）等で構成されたコンピュータであり、ＲＯＭには、上述した心肺補助動作を実現するためのプログラムが格納されているものとするが、ここでは説明を省略する。
【００３６】
ＲＯＭには、心肺補助動作を実現するためのプログラムに加えて、音声データ入力部（マイクロフォン）２２０からの音声データ信号に基づいて、警報メロディパターンデータ２１１を調整する音声校正処理を実現するためのプログラムが格納されており、ＣＰＵによって実行されることで、制御部２０５は、音声校正部２１０として機能する。音声校正部２１０の詳細な構成及び音声校正部２１０による音声校正処理の詳細な流れについては後述する。
【００３７】
音声出力部（スピーカ）２０６は、警報メロディパターンデータ２１１を出力する。Ｉ／Ｆ部２０７は、外部装置との間で各種信号の授受を行う。マイクロフォン等の音声データ入力部２２０は、Ｉ／Ｆ部２０７を介してコントローラ１１０に接続可能であり、音声データ入力部２２０からの音声データ信号は、当該Ｉ／Ｆ部２０７を介してコントローラ１１０に取り込まれる。
【００３８】
以上が、コントローラ１１０についての機能構成の説明である。なお、図２に示す機能構成はあくまでも一例であり、新たな構成を追加してもよいし、また、不要な構成は適宜省略してもよい。例えば、記憶部２０１（ハードディスク等）は、必ずしも設けられる必要なく、省略してもよい。
【００３９】
＜３．音声校正部の詳細構成＞
次に制御部２０５により実現される音声校正部２１０の機能構成について詳説する。
【００４０】
図３Ａは音声校正部２１０の機能構成を示す図であり、図３Ｂは音声校正部２１０を機能させる際の動作環境を示す図である。図３Ｂに示すように、コントローラ１１０に対してＩ／Ｆ部２０７を介して音声データ入力部（マイクロフォン）２２０が接続され、音声データ入力部２２０がコントローラ１１０から所定の距離（例えば、１ｍ）だけ離れた位置に配置され、かつ、周囲の雑音が所定の音量以下になった後、外部からの指示（校正モードへの移行指示）が入力された場合に、校正モードに移行し、音声校正部２１０による音声校正処理が開始される。
【００４１】
音声校正部２１０において、警報メロディパターンデータ読取／書込部３０４は、記憶部２０１より警報メロディパターンデータ２１１を読み出すとともに、補正された警報メロディパターンデータを記憶部２０１に書き込む処理を行う。
【００４２】
警報メロディパターンデータ出力制御部３０２は、警報メロディパターンデータ読取／書込部３０４により読み出された警報メロディパターンデータを音声出力部（スピーカ）２０６を介して出力する処理を行う。音声データ取得部３０３は、音声出力部２０６より出力された後、音声データ入力部２２０において取得され、音声信号に変換された音声データを音声データ入力部２２０より取得する処理を行う。
【００４３】
特性規定データ読取部３０５は、記憶部２０１より特性規定データ２１２を読み出す処理を行う。校正制御部３００は、特性規定データ読取部３０５により読み出された特性規定データ２１２と、音声データ取得部３０３により取得された音声データとを対比し、音声データが特性規定データ２１２により規定された特性を有しているか否かを判定する処理を行う。
【００４４】
警報メロディパターンデータ補正部３０１は、校正制御部３００により、音声データが特性規定データ２１２により規定された特性を有していないと判定された場合に、警報メロディパターンデータ読取／書込部３０４により読み出された警報メロディパターンデータ２１１を補正する処理を行う。
【００４５】
校正制御部３００では、警報メロディパターンデータ補正部３０１において補正された警報メロディパターンデータ２１１を警報メロディパターンデータ出力制御部３０２に転送する。また、警報メロディパターンデータ出力制御部３０２では、転送された警報メロディパターンデータを、音声出力部２０６を介して再び出力する。以降、校正制御部３００では、音声データが特性規定データ２１２により規定された特性を有していると判定されるまで、上記処理を繰り返す。
【００４６】
そして、上記処理を繰り返した結果、音声データが特性規定データ２１２により規定された特性を有していると判定されると、警報メロディパターンデータ読取／書込部３０４では、当該判定が行われた際に出力された警報メロディパターンデータ（つまり、直前の警報メロディパターンデータ）を用いて、記憶部２０１に格納されている警報メロディパターンデータを更新する。
【００４７】
このように、本実施形態に係る体外循環装置（医療機器）１００では、コントローラ１１０に校正モードを設け、所定の動作環境下で校正モードに移行する旨の指示が入力されると、自動的に警報メロディパターンデータの出力及び取得を行う構成とした。また、警報メロディパターンデータが音声出力部２０６より出力されることで、音声データ入力部（マイクロフォン）にて取得された音声データが、特性規定データ２１２により規定された特性を有しているか否かを判定する構成とした。更に、規定された特性を有していると判定されるまで、警報メロディパターンデータを補正する構成とした。
【００４８】
この結果、音声出力部２０６にて出力された警報メロディパターン（警報音）が所定の規定を満たすよう、警報メロディパターンデータを効率的に調整することが可能となった。
【００４９】
＜４．特性規定データの説明＞
次に、特性規定データ２１２の詳細について、図４Ａ−４Ｅを用いて説明する。図４Ａ−４Ｅは、国際規格ＩＥＣ６０６０１の第３版における、警報メロディパターンに関する規定の一部を示したものである。
【００５０】
図４Ａ、４Ｂに示すように、医療機器の種類ごとに、中優先度及び高優先度の警報メロディパターンが規定されている。また、医療機器の種類に関わらず、低優先度の警報メロディパターンが規定されている。
【００５１】
図４Ａ、４Ｂにおいて、文字ｃ、ｄ、ｅ、ｆ、ｇ、ａ、ｂ、Ｃは相対的なミュージカルピッチを示しており、文字Ｃは、文字ｃより１オクターブ高い音を表している。
【００５２】
更に、図４Ｃ−４Ｅに示すように、警報メロディパターンを構成する各バーストの特性、各パルスの特性等が規定されている。図４Ｃは、各パルスの特性（パルス形状）を規定するための指標を表している。図４Ｃにおいて、ｔｔは立上り時間を、ｔｄは継続時間を、それぞれ表している。また、ｔｓはパルス間隔を、ｔｂはバースト間隔をそれぞれ表している。
【００５３】
図４Ｄ、４Ｅは、図４Ｃで示した指標を含む各指標の許容値の規定を示したものである。
【００５４】
具体的には、図４Ｄに示すように、高優先度、中優先度、低優先度ごとに、１つのバーストに含まれるパルスの数が規定されている。また、各パルス間隔ｔｓ、バースト間隔ｔｂも優先度ごとに規定されている。一方、パルス間の振幅の差の許容値は、優先度に関わらず、１０ｄＢに規定されている。
【００５５】
図４Ｄにおいて、ｘは５０ｍｓと１２５ｍｓの間の値であることを示しており、ｙは１２５ｍｓと２５０ｍｓの間の値であることを示している。また、図４Ｄにおいては不図示であるが、バースト中のｘ及びｙの変化は±５％であることが規定されている。更に、中優先度のｔｄ＋ｙは、高優先度のｔｄ＋ｘ以上であることが規定されている。
【００５６】
更に、図４Ｅに示すように、パルス周波数ｆｏ（１のパルスの立上りから、次のパルスの立上りまでの時間の逆数）、１パルス内の高周波成分の数、立上り時間ｔｔが、優先度に関わらず規定されている。一方、パルス継続時間（ｔｄ）については、優先度に応じて異なる許容値が規定されている。
【００５７】
＜５．音声校正処理＞
次に、音声校正部２１０による音声校正処理の流れについて説明する。図５は、音声校正部２１０による音声校正処理の流れを示すフローチャートである。
【００５８】
図５に示すように、コントローラ１１０の電源が投入されることで音声校正処理が起動されると、ステップＳ５０１では、校正モードへの移行指示が入力されたか否かを監視する。ステップＳ５０１において、校正モードへの移行指示が入力されたと判定されなかった場合には、入力されたと判定されるまで待機する。
【００５９】
ステップＳ５０１において、校正モードへの移行指示が入力されたと判定された場合には、ステップＳ５０２に進み、音声データ取得準備が完了して図３Ｂに示す動作環境が整ったか否かを判定する。
【００６０】
具体的には、音声データ入力部２２０が接続され、かつ、当該音声データ入力部２２０がコントローラ１１０から１ｍの位置に配置され、かつ、周囲の雑音が所定の音量以下になったことを確認した場合には、音声データ取得準備が完了したと判定する。
【００６１】
ステップＳ５０２において、音声データ取得準備が完了すると、ステップＳ５０３に進み、校正モードへ移行する。更にステップＳ５０４では、警報メロディパターンデータを読み出し、出力する。警報メロディパターンデータには、低優先度の警報メロディパターンデータと、中優先度の警報メロディパターンデータと、高優先度の警報メロディパターンデータと、が含まれ、それぞれの警報メロディパターンデータに対応する解析を行うべく、優先度ごとに順番に出力される。
【００６２】
ステップＳ５０５では、出力された警報メロディパターンデータを、音声データ入力部２２０を介して取得し、ステップＳ５０６では、取得した音声データを解析することで、特性規定データ２１２により規定された特性を有しているか否かを判定する。ステップＳ５０６の処理の詳細は、図６、７Ａ、７Ｂ、８Ａ、８Ｂ、９Ａ、９Ｂを用いて後述する。
【００６３】
ステップＳ５０６における処理の結果、特性規定データ２１２により規定された特性を全て有していた場合には、ステップＳ５０９に進み、ステップＳ５０４において出力された直前の警報メロディパターンデータを用いて、記憶部２０１に格納されている警報メロディパターンデータを更新する。
【００６４】
一方、いずれかの特性を有していないと判定された場合には、ステップＳ５０８で警報メロディパターンデータを補正した後、ステップＳ５０４に戻る。ここで、ステップＳ５０８では、音声データ入力部２２０を介して取得した警報メロディパターンデータが、ステップＳ５０６における処理の結果（より具体的には、規定に含まれる複数の項目（例えば、各パルスの音程、振幅、パルス継続時間、立ち上がり時間、パルス数、パルス間隔、パルス周波数など）のいずれをどのように満たさないか）に応じて、警報メロディパターンデータを補正する。例えば、音声データ入力部２２０を介して取得した警報メロディパターンデータのあるパルスの音程が規定において定義された音程より低い場合には、ステップＳ５０８では、当該パルスの音程が高くなるように警報メロディパターンデータを補正する。つまり、ステップＳ５０８では、音声データ入力部２２０を介して取得した警報メロディパターンデータと規定との相違を低減するように警報メロディパターンデータを補正する。
【００６５】
ステップＳ５０４〜ステップＳ５０８までの処理は、特性規定データ２１２により規定された特性を全て有していると判定されるまで繰り返され、特性を全て有していると判定されると、ステップＳ５０９において、当該警報メロディパターンデータにより記憶部２０１に格納されている警報メロディパターンデータを更新し、音声校正処理を終了する。
【００６６】
＜６．低優先度の場合の解析処理＞
次に、ステップＳ５０６の音声データの解析処理の詳細について説明する。はじめに、低優先度の警報メロディパターンデータが出力された場合の音声データの解析処理について図６、７Ａ、７Ｂを用いて説明する。
【００６７】
図６の６Ａは、低優先度の警報メロディパターンの一例を示す図であり、図７Ａ、７Ｂは、低優先度の警報メロディパターンデータが出力された場合の音声データ解析処理の流れを示すフローチャートである。
【００６８】
図７Ａ、７Ｂに示すように、ステップＳ７０１では、取得した音声データ内の最初のバーストより、１パルス目（図６の６Ａの６０１）を抽出する。ステップＳ７０２では、ステップＳ７０１において抽出したパルス６０１に含まれる信号の音程を解析する。
【００６９】
ステップＳ７０２における解析の結果、音程が特性規定データ２１２により規定された特性を有していない（ここでは、“Ｂ”でない）と判定された場合には、ステップＳ７１８に進み、取得した音声データが規定された特性を有していないと判定する。
【００７０】
一方、ステップＳ７０２における解析の結果、音程が特性規定データ２１２により規定された特性を有している（ここでは、“Ｂ”である）と判定された場合には、ステップＳ７０４では、パルス振幅（Ｐａ）を抽出することで、パルス継続時間（ｔｄ）、立上り時間（ｔｔ）を抽出する。
【００７１】
ステップＳ７０５では、ステップＳ７０４において抽出したパルス継続時間（ｔｄ）が１２５ｍｓ〜２５０ｍｓの間にあるか否かを判定する。ステップＳ７０５において抽出されたパルス継続時間（ｔｄ）が１２５ｍｓ〜２５０ｍｓの間にないと判定された場合には、ステップＳ７１８に進み、取得された音声データが規定された特性を有していないと判定する。
【００７２】
一方、ステップＳ７０５において、パルス継続時間（ｔｄ）が１２５ｍｓ〜２５０ｍｓの間にあると判定された場合には、ステップＳ７０６に進み、立上り時間（ｔｔ）がパルス継続時間（ｔｄ）の１０％〜２０％の間にあるか否かを判定する。ステップＳ７０６において、１０％〜２０％の間にないと判定された場合には、ステップＳ７１８に進み、取得された音声データが規定された特性を有していないと判定する。
【００７３】
一方、ステップＳ７０６において、パルス継続時間（ｔｄ）の１０％〜２０％の間にあると判定された場合には、ステップＳ７０７に進む。
【００７４】
ステップＳ７０７では、現在のバースト内に次のパルスが存在するか否かを判定する。ステップＳ７０７において、次のパルスが存在すると判定された場合には、ステップＳ７０８に進み、現在のバースト内の次のパルス（図６の６Ａの６０２）を抽出した後、ステップＳ７０２に戻り、当該次のパルス６０２についても同様の処理を繰り返す。
【００７５】
一方、現在のバースト内に次のパルスが存在しないと判定された場合には、ステップＳ７０９に進む。ステップＳ７０９では、当該バースト内に含まれるパルスの数が、“１”または“２”であったかを判定する。ステップＳ７０９において、当該バースト内に含まれるパルスの数が、“３”以上であった場合には、ステップＳ７１７に進み、取得された音声データが規定された特性を有していないと判定する。
【００７６】
一方、ステップＳ７０９において、当該バースト内に含まれるパルスの数が、１または２であった場合には、ステップＳ７１０に進み、当該バースト内に含まれるパルス間の間隔（ｔｓ）が１２５ｍｓ〜２５０ｍｓの間であるか判定する。
【００７７】
ステップＳ７１０において、パルス間隔（ｔｓ）が１２５ｍｓ〜２５０ｍｓの間にないと判定された場合には、ステップＳ７１７に進み、取得された音声データが規定された特性を有していないと判定する。
【００７８】
一方、ステップＳ７１０において、パルス間隔（ｔｓ）が１２５ｍｓ〜２５０ｍｓの間にあると判定された場合には、ステップＳ７１１に進み、パルス周波数を算出する。パルス周波数は、バースト内のパルス６０１の立上りからパルス６０２の立上りまでの時間（ｔｄ＋ｔｓ）の逆数を算出することにより求める。
【００７９】
ステップＳ７１２では、ステップＳ７１１において算出されたパルス周波数が１５０Ｈｚ〜１０００Ｈｚの間にあるか否かを判定する。ステップＳ７１２において、パルス周波数が１５０Ｈｚ〜１０００Ｈｚの間にないと判定された場合には、ステップＳ７１７に進み、取得された音声データが規定された特性を有していないと判定する。
【００８０】
一方、ステップＳ７１２において、パルス周波数が１５０Ｈｚ〜１０００Ｈｚの間にあると判定された場合には、ステップＳ７１３に進み、次のバーストがあるか否かを判定する。ステップＳ７１３において次のバーストがあると判定された場合には、ステップＳ７１４に進み、次のバーストに移行した後、ステップＳ７０１に戻り、次のバーストの最初のパルス（図６の６Ａの６０３）を抽出した後、同様の処理を繰り返す。
【００８１】
一方、次のバーストが存在しないと判定された場合には、ステップＳ７１５に進み、ステップＳ７０１〜ステップＳ７１５において判定を行ったすべてのパルスを対象として、任意の２つのパルスのパルス振幅（Ｐａ）の差が１０ｄＢ以下であるか否かを判定する。
【００８２】
ステップＳ７１５において、１０ｄＢ以下でないと判定された場合には、ステップＳ７１７に進み、取得された音声データが規定された特性を有していないと判定する。一方、１０ｄＢ以下であると判定された場合には、ステップＳ７１６に進み、バースト間隔（ｔｂ）が１５秒以上であるか否かを判定する。
【００８３】
ステップＳ７１６においてバースト間隔（ｔｂ）が１５秒以上ないと判定された場合には、ステップＳ７１７に進み、取得された音声データが規定された特性を有していないと判定する。一方、バースト間隔（ｔｂ）が１５秒以上であると判定された場合には、ステップＳ７１８に進み、取得された音声データが規定された特性を有していると判定する。
【００８４】
＜７．中優先度の場合の解析処理＞
次に、ステップＳ５０５の音声データの解析処理のうち、中優先度の警報メロディパターンデータが出力された場合の音声データの解析処理について図６、８Ａ、８Ｂを用いて説明する。図８Ａ、８Ｂは、中優先度の警報メロディパターンデータが出力された場合の音声データの解析処理の流れを示すフローチャートである。なお、説明は、低優先度の警報メロディパターンデータが出力された場合の音声データの解析処理との相違点を中心に行うものとする。
【００８５】
ステップＳ８０１、Ｓ８０２における処理は、図７ＡのステップＳ７０１、Ｓ７０２における処理と同様である。
【００８６】
ステップＳ８０３では、パルス（図６の６Ｂの６１１）に含まれる信号の音程が特性規定データ２１２により規定された特性を有していない（ここでは、“ｃ”でない）と判定された場合には、ステップＳ８１８に進み、取得された音声データが規定された特性を有していないと判定する。
【００８７】
一方、ステップＳ８０３においてパルス６１１に含まれる信号の音程が特性規定データ２１２により規定された特性を有している（ここでは“ｃ”である）と判定された場合には、ステップＳ８０４に進む。なお、ステップＳ８０４〜Ｓ８０６における処理は、図７ＡのステップＳ７０４〜Ｓ７０６における処理と同様である。
【００８８】
ステップＳ８０７では、現在のバースト内に次のパルスが存在するか否かを判定する。ステップＳ８０７において、次のパルス（図６の６Ｂの６１２、６１３）が存在すると判定された場合には、ステップＳ８０８に進み、現在のバースト内の次のパルス６１２（または６１３）を抽出した後、ステップＳ８０２に戻り、当該次のパルス６１２（または６１３）についても同様の処理を繰り返す。
【００８９】
一方、現在のバースト内に次のパルスが存在しないと判定された場合には、ステップＳ８０９に進む。ステップＳ８０９では、当該バースト内に含まれるパルスの数が、“３”であったか否かを判定する。ステップＳ８０９において、当該バースト内に含まれるパルスの数が、“３”でないと判定された場合には、ステップＳ８１７に進み、取得された音声データが規定された特性を有していないと判定する。
【００９０】
一方、ステップＳ８０９において、当該バースト内に含まれるパルスの数が、“３”であると判定された場合には、ステップＳ８１０に進む。なお、ステップＳ８１０〜Ｓ８１５における処理は、ステップＳ７１０〜Ｓ７１５における処理と同様である。
【００９１】
ステップＳ８１６では、バースト間隔（ｔｂ）が２．５〜３０秒の間にあるか否かを判定する。ステップＳ８１６において、バースト間隔（ｔｂ）が２．５〜３０秒の間にないと判定された場合には、ステップＳ８１７に進み、取得された音声データが規定された特性を有していないと判定する。一方、バースト間隔（ｔｂ）が２．５〜３０秒の間にあると判定された場合には、ステップＳ８１８に進み、取得された音声データが規定された特性を有していると判定する。
【００９２】
＜８．高優先度の場合の解析処理＞
次に、ステップＳ５０５の音声データの解析処理のうち、高優先度の警報メロディパターンデータが出力された場合の音声データの解析処理について図６、９Ａ、９Ｂを用いて説明する。図９Ａ、９Ｂは、高優先度の警報メロディパターンデータが出力された場合の音声データの解析処理の流れを示すフローチャートである。なお、説明は、低優先度の警報メロディパターンデータが出力された場合の音声データの解析処理との相違点を中心に行うものとする。
【００９３】
ステップＳ９０１、Ｓ９０２における処理は、図７ＡのステップＳ７０１、Ｓ７０２における処理と同様である。
【００９４】
ステップＳ９０３では、パルス（図６の６Ｃの６２１）に含まれる信号の音程が特性規定データ２１２により規定された特性を有していない（ここでは“ｃ”でない）と判定された場合には、ステップＳ９１８に進み、取得された音声データが規定された特性を有していないと判定する。
【００９５】
一方、ステップＳ９０３においてパルス６２１に含まれる信号の音程が特性規定データ２１２により規定された特性を有している（ここでは“ｃ”である）と判定された場合には、ステップＳ９０４に進む。なお、ステップＳ９０４における処理は、図７ＡのステップＳ７０４における処理と同様である。
【００９６】
ステップＳ９０５では、パルス継続時間（ｔｄ）が７５ｍｓ〜２００ｍｓの間にあるか否かを判定する。ステップＳ９０５において抽出されたパルス継続時間（ｔｄ）が７５ｍｓ〜２００ｍｓの間にないと判定された場合には、ステップＳ９１８に進み、取得された音声データが規定された特性を有していないと判定する。
【００９７】
一方、ステップＳ９０５において、パルス継続時間（ｔｄ）が７５ｍｓ〜２００ｍｓの間にあると判定された場合には、ステップＳ９０６に進む。なお、ステップＳ９０６における処理は、図７ＡのステップＳ７０６における処理と同様である。
【００９８】
ステップＳ９０７では、現在のバースト内に次のパルスが存在するか否かを判定する。ステップＳ９０７において、次のパルス（図６の６Ｃの６２２〜６３０）が存在すると判定された場合には、ステップＳ９０８に進み、現在のバースト内の次のパルス６２２（または６２３〜６３０のいずれか）を抽出した後、ステップＳ９０２に戻り、当該次のパルス６２２（または６２３〜６３０）についても同様の処理を繰り返す。
【００９９】
一方、現在のバースト内に次のパルスが存在しないと判定された場合には、ステップＳ９０９に進む。ステップＳ９０９では、当該バースト内に含まれるパルスの数が、“１０”であったか否かを判定する。ステップＳ９０９において、当該バースト内に含まれるパルスの数が、“１０”でないと判定された場合には、ステップＳ９１７に進み、取得された音声データが規定された特性を有していないと判定する。
【０１００】
一方、ステップＳ９０９において、当該バースト内に含まれるパルスの数が、“１０”であると判定された場合には、ステップＳ９１０に進む。ステップＳ９１０では、当該バースト内に含まれる各パルス間隔（ｔｓ）が所定時間か否かを判定する。具体的には、バースト内に含まれる各パルス間隔（ｔｓ）が下記所定時間を満たすか否かを判定する。
【０１０１】
１パルス目と２パルス目のパルス間隔：５０〜１２５ｍｓ
２パルス目と３パルス目のパルス間隔：５０〜１２５ｍｓ
３パルス目と４パルス目のパルス間隔：５０＋ｔｄ〜１２５＋ｔｄｍｓ
４パルス目と５パルス目のパルス間隔：５０〜１２５ｍｓ
５パルス目と６パルス目のパルス間隔：０．３５〜１．２０ｓ
６パルス目と７パルス目のパルス間隔：５０〜１２５ｍｓ
７パルス目と８パルス目のパルス間隔：５０〜１２５ｍｓ
８パルス目と９パルス目のパルス間隔：５０＋ｔｄ〜１２５＋ｔｄｍｓ
９パルス目と１０パルス目のパルス間隔：５０〜１２５ｍｓ
ステップＳ９１０において、バースト内に含まれる各パルス間隔（ｔｓ）が所定時間を満たしていないと判定された場合には、ステップＳ９１７に進み、取得された音声データが規定された特性を有していないと判定する。
【０１０２】
一方、ステップＳ９１０において、バースト内に含まれる各パルス間隔（ｔｓ）が上記所定時間を満たしていると判定された場合には、ステップＳ９１１に進む。なお、ステップＳ９１１〜ステップＳ９１５までの処理は、図７ＢのステップＳ７１１〜Ｓ７１５までの処理と同様である。
【０１０３】
ステップＳ９１６では、バースト間隔（ｔｂ）が２．５〜１５秒の間にあるか否かを判定する。ステップＳ９１６において、バースト間隔（ｔｂ）が２．５〜１５秒の間にないと判定された場合には、ステップＳ９１７に進み、取得された音声データが規定された特性を有していないと判定する。一方、バースト間隔（ｔｂ）が２．５〜１５秒の間にあると判定された場合には、ステップＳ９１８に進み、取得された音声データが規定された特性を有していると判定する。
【０１０４】
なお、図７Ａ、７Ｂ、８Ａ、８Ｂ、９Ａ，９Ｂでは図示していないが、音声データの解析処理においては、各パルス間隔の変化が±５％であるか否かを判定し、±５％を超えていると判定された場合には、取得された音声データが規定された特性を有していないと判定する。また、中優先度のパルス継続時間（ｔｄ）及びパルス間隔（ｔｓ）に基づいて算出されるｔｄ＋ｙが、高優先度のパルス継続時間（ｔｄ）及びパルス間隔（ｔｓ）に基づいて算出されるｔｄ＋ｘ以上であるか否かを判定し、当該規定を満たしていないと判定した場合には、取得された音声データが規定された特性を有していないと判定する。
【０１０５】
また、図７Ａ、７Ｂ、８Ａ、８Ｂ、９Ａ、９Ｂでは、図示していないが、音声データの解析処理では、各パルスに含まれる信号の高周波成分（３００Ｈｚ〜４０００Ｈｚ）の数が４以上であるか否かを判定し、当該規定を満たしていないと判定した場合には、取得された音声データが規定された特性を有していないと判定する。
【０１０６】
以上の説明から明らかなように、本実施形態に係る医療機器（体外循環装置）では、コントローラ１１０に校正モードを設け、所定の動作環境下で校正モードに移行する旨の指示が入力された場合に、自動的に警報メロディパターンデータの出力及び取得を行う構成とした。また、警報メロディパターンデータが音声出力部２０６より出力されることにより音声データ入力部２２０にて取得された音声データが、特性規定データ２１２により規定された特性を有しているか否かを判定する構成とした。更に、規定された特性を有していると判定されるまで、警報メロディパターンデータの補正を繰り返す構成とした。この結果、音声出力部２０６にて出力された警報メロディパターンデータが所定の規定を満たすようにするための校正を、効率的に行うことが可能となった。
【０１０７】
［第２の実施形態］
上記第１の実施形態では、校正モードへの移行指示が操作部２０２を介して入力される構成としたが、本発明はこれに限定されず、ＰＣ（情報処理装置）等を接続し、当該情報処理装置から所定の信号を入力することで、校正モードへ移行する構成としてもよい。
【０１０８】
また、上記第１の実施形態では、音声データ入力部２２０とＩ／Ｆ部２０７とを有線で接続する構成としたが、本発明はこれに限定されず、無線により接続する構成としてもよい。
【０１０９】
また、上記第１の実施形態では、低優先度の警報メロディパターンデータから出力する構成としたが、出力順序は特に限定されない。また、上記第１の実施形態では、はじめに音程を判定し、以降、パルス継続時間等を判定する構成としたが、判定の順序は特に限定されない。
【０１１０】
［その他の実施形態］
以上が本発明の代表的な実施形態の例であるが、本発明は、上記及び図面に示す実施形態に限定することなく、その要旨を変更しない範囲内で適宜変形して実施できるものである。
【０１１１】
本願は、２０１２年８月３０日提出の日本国特許出願特願２０１２−１９０６０２を基礎として優先権を主張するものであり、その記載内容の全てを、ここに援用する。
【符号の説明】
【０１１２】
１００：体外循環装置、１１１：ドライブモータ、１１２：遠心ポンプ、１１３：人工肺、１１４：気泡センサ、１１５：流量センサ、１１６：血液フィルタ、１１７：酸素供給源、１１８：分岐ライン、１１９：カテーテル、１２０：カテーテル、１３０：被検者
【図１】
2014034108.tif 000003
【図２】
2014034108.tif 000004
【図３Ａ】
2014034108.tif 000005
【図３Ｂ】
2014034108.tif 000006
【図４Ａ】
2014034108.tif 000007
【図４Ｂ】
2014034108.tif 000008
【図４Ｃ】
2014034108.tif 000009
【図４Ｄ】
2014034108.tif 000010
【図４Ｅ】
2014034108.tif 000011
【図５】
2014034108.tif 000012
【図６】
2014034108.tif 000013
【図７Ａ】
2014034108.tif 000014
【図７Ｂ】
2014034108.tif 000015
【図８Ａ】
2014034108.tif 000016
【図８Ｂ】
2014034108.tif 000017
【図９Ａ】
2014034108.tif 000018
【図９Ｂ】
2014034108.tif 000019
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
警報音を出力する音声出力手段を備え、かつ、音声データ入力手段と接続可能な医療機器であって、
前記音声出力手段が接続され、かつ、外部からの所定の指示が入力されることで起動する音声校正手段を備え、
前記音声校正手段は、
前記警報音として、予め格納手段に格納された音声パターンデータを読み出し、前記音声出力手段を介して出力する出力制御手段と、
前記音声パターンデータが出力された際に、前記音声データ入力手段にて取得された音声データが、予め定められた規定を満たすか否かを判定する判定手段と、
前記判定手段により、前記音声データ入力手段にて取得された音声データが前記規定を満たしていないと判定された場合に、前記読み出された音声パターンデータを補正する補正手段と、
前記判定手段により、前記音声データ入力手段にて取得された音声データが前記規定を満たすと判定されるまで、前記補正手段による補正と前記出力制御手段による該補正された音声パターンデータの出力とを繰り返すよう制御する校正制御手段と、
前記判定手段により、前記音声データ入力手段にて取得された音声データが前記規定を満たすと判定された場合に、当該判定が行われた際に出力された音声パターンデータを用いて、前記格納手段に格納された音声パターンデータを更新する更新手段と
を備えることを特徴とする医療機器。
【請求項２】
前記音声パターンデータは、優先度の異なる複数の音声パターンデータを含み、
前記判定手段は、前記医療機器の種類に対応する規定であって、かつ、前記優先度の異なる複数の音声パターンデータそれぞれについて、対応する規定を満たすか否かを判定することを特徴とする請求項１に記載の医療機器。
【請求項３】
前記判定手段は、前記音声データ入力手段にて取得された音声データの、各バースト間隔、各バーストに含まれるパルスの数、各パルス間隔、各パルスの形状、各パルスの音程の少なくとも１つについて、前記規定を満たすか否かを判定することを特徴とする請求項２に記載の医療機器。
【請求項４】
前記補正手段は、前記読み出された音声パターンデータの、各バースト間隔、各バーストに含まれるパルスの数、各パルス間隔、各パルスの形状、各パルスの音程の少なくとも１つを補正することを特徴とする請求項１に記載の医療機器。
【請求項５】
警報音を出力する音声出力手段および音声校正手段を備え、かつ、音声データ入力手段と接続可能な医療機器の制御方法であって、
前記音声データ入力手段に接続され、かつ、外部からの所定の指示が入力されたことに応じて前記音声校正手段によって実行される音声校正工程を有し、
前記音声校正工程は、
前記音声校正手段によって、前記警報音として、予め格納手段に格納された音声パターンデータを読み出し、前記音声出力手段を介して出力する出力制御工程と、
前記音声パターンデータが出力された際に、前記音声データ入力手段にて取得された音声データが予め定められた規定を満たすか否かを前記音声校正手段によって判定する判定工程と、
前記判定工程において前記音声データ入力手段にて取得された音声データが前記規定を満たしていないと判定された場合に、前記読み出された音声パターンデータを前記音声校正手段によって補正する補正工程と、
前記音声校正手段によって、前記判定工程において前記音声データ入力手段にて取得された音声データが前記規定を満たすと判定されるまで、前記補正工程における補正と前記出力制御工程における該補正された音声パターンデータの出力とを繰り返すよう制御する校正制御工程と、
前記判定工程において、前記音声データ入力手段にて取得された音声データが前記規定を満たすと判定された場合に、前記音声校正手段によって、当該判定が行われた際に出力された音声パターンデータを用いて、前記格納手段に格納された音声パターンデータを更新する更新工程と
を有することを特徴とする制御方法。
【請求項６】
請求項５に記載の制御方法の各工程をコンピュータに実行させるためのプログラム。
【請求項７】
格納手段に格納されている音声パターンデータに基づいて音声出力手段から音声を出力する機能を有する医療機器であって、
前記格納手段に格納されている音声パターンデータを校正する音声校正手段を備え、
前記音声校正手段は、前記格納手段に格納されている音声パターンデータに基づいて前記音声出力手段から音声を出力し該音声を音声データ入力手段によって取り込んだ音声データに基づいて、予め定められた規定を満たす音声が前記音声出力手段から出力されるように、前記格納手段に格納されている音声パターンデータを校正する、
ことを特徴とする医療機器。
【請求項８】
前記音声校正手段は、前記音声データ入力手段によって取り込んだ音声データと前記規定によって定義された音声との相違が低減されるように、前記格納手段に格納されている音声パターンデータを校正する、
ことを特徴とする請求項７に記載の医療機器。
【国際調査報告】
2014034108.tif 000020
2014034108.tif 000021
2014034108.tif 000022
2014034108.tif 000023